(57)【要約】【課題】遊技盤における演出効果を従来以上に高めることが可能な遊技機を提供する。【解決手段】遊技機１は、遊技盤２と、遊技盤２の盤面上に配置される多面体３と、遊技盤２の盤面上で多面体３よりも背面側に配置されるスクリーン５と、遊技盤２を横切るように多面体３に映像を投射するプロジェクタ４とを備えている。この遊技機１は、プロジェクタ４の映像を多面体３に投射してプロジェクションマッピングを行う。そのため、この遊技機１では、遊技盤２の盤面上に三次元造形物の映像を写し出すことが可能になるとともに、遊技盤２の盤面上に写し出された三次元造形物の映像を見かけ上、動かしたり、変形させたりすることが可能になる。【選択図】図１
2015205001.tif 000002
【特許請求の範囲】
【請求項１】
遊技盤と、前記遊技盤の盤面上に配置される多面体と、前記遊技盤の盤面上で前記多面体よりも背面側に配置されるスクリーンと、前記遊技盤を横切るように前記多面体に映像を投射するプロジェクタとを備え、
前記プロジェクタの映像を前記多面体に投射してプロジェクションマッピングを行うことを特徴とする遊技機。
【請求項２】
前記多面体を動かす多面体駆動機構を備え、
前記多面体を動かしながら前記プロジェクタの映像を前記多面体に投射してプロジェクションマッピングを行うことを特徴とする請求項１記載の遊技機。
【請求項３】
前記プロジェクタを動かすプロジェクタ駆動機構を備え、
前記プロジェクタを動かしながら前記プロジェクタの映像を前記多面体に投射してプロジェクションマッピングを行うことを特徴とする請求項１または２記載の遊技機。
【請求項４】
前記プロジェクタとの間で前記多面体を挟むように配置される第２のスクリーンを備えることを特徴とする請求項１から３のいずれかに記載の遊技機。
【発明の詳細な説明】
【技術分野】
【０００１】
本発明は、パチンコ機やパチスロ機等の遊技機に関する。
【背景技術】
【０００２】
従来、遊技盤の中央に配置される回転体と、回転体の奥側に配置されるスクリーンと、回転体およびスクリーンに動画像を投射するプロジェクタとを備えるパチンコ機が知られている（たとえば、特許文献１参照）。特許文献１に記載のパチンコ機では、回転体の回転動作に応じた動画像がプロジェクタから回転体に投射されており、遊技盤の装飾性が高くなっている。
【先行技術文献】
【特許文献】
【０００３】
【特許文献１】特開２００９−２４０４５９号公報
【発明の概要】
【発明が解決しようとする課題】
【０００４】
近年、パチンコ機やパチスロ機等の遊技機の業界では、遊技盤における演出効果のより高い遊技機が求められている。
【０００５】
そこで、本発明の課題は、遊技盤における演出効果を従来以上に高めることが可能な遊技機を提供することにある。
【課題を解決するための手段】
【０００６】
上記の課題を解決するため、本発明の遊技機は、遊技盤と、遊技盤の盤面上に配置される多面体と、遊技盤の盤面上で多面体よりも背面側に配置されるスクリーンと、遊技盤を横切るように多面体に映像を投射するプロジェクタとを備え、プロジェクタの映像を多面体に投射してプロジェクションマッピングを行うことを特徴とする。
【０００７】
本発明の遊技機は、遊技盤の盤面上に配置される多面体にプロジェクタの映像を投射してプロジェクションマッピングを行っている。そのため、本発明では、遊技盤の盤面上に三次元造形物の映像を写し出すことが可能になるとともに、遊技盤の盤面上に写し出された三次元造形物の映像を見かけ上、動かしたり、変形させたりすること等が可能になる。したがって、本発明では、遊技盤における演出効果を従来以上に高めることが可能になる。
【０００８】
本発明において、遊技機は、多面体を動かす多面体駆動機構を備え、多面体を動かしながらプロジェクタの映像を多面体に投射してプロジェクションマッピングを行うことが好ましい。また、本発明において、遊技機は、プロジェクタを動かすプロジェクタ駆動機構を備え、プロジェクタを動かしながらプロジェクタの映像を多面体に投射してプロジェクションマッピングを行うことが好ましい。このように構成すると、遊技盤の盤面上に写し出された三次元造形物の映像を見かけ上、様々な態様で動かしたり、様々な態様に変形させたりすること等が可能になる。したがって、遊技盤における演出効果をより効果的に高めることが可能になる。
【０００９】
本発明において、遊技機は、プロジェクタとの間で多面体を挟むように配置される第２のスクリーンを備えることが好ましい。このように構成すると、遊技盤の盤面上に映し出された三次元造形物の映像を遊技盤の斜め方向からでも見ることが可能になる。したがって、遊技盤における演出効果をより効果的に高めることが可能になる。
【発明の効果】
【００１０】
以上のように、本発明の遊技機では、遊技盤における演出効果を従来以上に高めることが可能になる。
【図面の簡単な説明】
【００１１】
【図１】本発明の実施の形態にかかる遊技機の概略構成を説明するための斜視図である。
【発明を実施するための形態】
【００１２】
以下、図面を参照しながら、本発明の実施の形態を説明する。図１は、本発明の実施の形態にかかる遊技機１の概略構成を説明するための斜視図である。
【００１３】
本形態の遊技機１は、パチンコ機である。この遊技機１は、遊技盤２と、遊技盤２の盤面上に配置される多面体３と、遊技盤２を横切るように多面体３に映像を投射するプロジェクタ４とを備えている。遊技盤２を正面から見たときに、たとえば、プロジェクタ４は、遊技盤２の右上端側に配置され、多面体３は、遊技盤２の左端側に配置されている。また、多面体３は、上下方向における遊技盤２の略中心に配置されている。プロジェクタ４は、多面体３に直接、映像を投射する。
【００１４】
また、遊技機１は、遊技盤２の盤面上で多面体３よりも背面側に配置されるスクリーン５と、多面体３の下側に配置されるスクリーン６と、遊技盤２を正面から見たときに、多面体３の左側に配置されるスクリーン７とを備えている。本形態のスクリーン７は、プロジェクタ４との間で多面体３を挟むように配置される第２のスクリーンである。
【００１５】
多面体３は、役物（ギミック）である。この多面体３は、多面体３を動かす多面体駆動機構（図示省略）に連結されている。多面体駆動機構は、モータ等の駆動源と、この駆動源の動力を多面体３に伝達する動力伝達機構とを備えている。この多面体駆動機構は、たとえば、前後方向、左右方向および上下方向の少なくともいずれかの方向へ多面体３を直線的に動かしたり、前後方向、左右方向および上下方向の少なくともいずれかの方向を回転の軸方向として多面体３を回転させる。
【００１６】
プロジェクタ４は、プロジェクタ４を動かすプロジェクタ駆動機構（図示省略）に連結されている。プロジェクタ駆動機構は、モータ等の駆動源と、この駆動源の動力をプロジェクタ４に伝達する動力伝達機構とを備えている。このプロジェクタ駆動機構は、たとえば、プロジェクタ４の光軸方向および光軸方向に直交する方向の少なくともいずれかの方向へプロジェクタ４を直線的に動かしたり、プロジェクタ４の光軸方向および光軸に直交する方向の少なくともいずれかの方向を回動の軸方向としてプロジェクタ４を回動させる。
【００１７】
遊技機１は、プロジェクタ４の映像を多面体３に投射してプロジェクションマッピングを行う。たとえば、遊技機１は、多面体３を動かしながらプロジェクタ４の映像を多面体３に投射してプロジェクションマッピングを行う。このときには、多面体３の動きと、プロジェクタ４によって投射される映像の動きとが同期している。また、たとえば、遊技機１は、プロジェクタ４を動かしながらプロジェクタ４の映像を多面体３に投射してプロジェクションマッピングを行う。このときには、プロジェクタ４の動きと、プロジェクタ４によって投射される映像の動きとが同期している。さらに、たとえば、遊技機１は、多面体３およびプロジェクタ４を動かしながらプロジェクタ４の映像を多面体３に投射してプロジェクションマッピングを行う。このときには、多面体３の動きとプロジェクタ４の動きとが同期するとともに、多面体３およびプロジェクタ４の動きと、プロジェクタ４によって投射される映像の動きとが同期している。
【００１８】
以上説明したように、本形態の遊技機１は、遊技盤２の盤面上に配置される多面体３にプロジェクタ４の映像を投射してプロジェクションマッピングを行っている。そのため、本形態では、遊技盤２の盤面上に三次元造形物の映像を写し出すことが可能になるとともに、遊技盤２の盤面上に写し出された三次元造形物の映像を見かけ上、動かしたり、変形させたりすることが可能になる。したがって、本形態では、遊技盤２における演出効果を従来以上に高めることが可能になる。特に本形態では、多面体３よりも背面側にスクリーン５が配置され、多面体３の下側にスクリーン６が配置され、かつ、多面体３の左側にスクリーン７が配置されているため、プロジェクションマッピングを行ったときの演出効果を効果的に高めることが可能になる。
【００１９】
また、本形態では、多面体３を動かしながらプロジェクタ４の映像を多面体３に投射してプロジェクションマッピングを行うことで、また、プロジェクタ４を動かしながら、あるいは、多面体３およびプロジェクタ４を動かしながらプロジェクタ４の映像を多面体３に投射してプロジェクションマッピングを行うことで、遊技盤２の盤面上に写し出された三次元造形物の映像を見かけ上、様々な態様で動かしたり、様々な態様に変形させたりすることが可能になる。したがって、本形態では、遊技盤２における演出効果をより効果的に高めることが可能になる。
【００２０】
上述した形態は、本発明の好適な形態の一例ではあるが、これに限定されるものではなく本発明の要旨を変更しない範囲において種々変形実施が可能である。
【００２１】
上述した形態では、遊技機１は、多面体３を動かす多面体駆動機構を備えているが、遊技機１は、多面体駆動機構を備えていなくても良い。また、上述した形態では、遊技機１は、プロジェクタ４を動かすプロジェクタ駆動機構を備えているが、遊技機１は、プロジェクタ駆動機構を備えていなくても良い。また、上述した形態では、遊技機１は、スクリーン６、７を備えているが、遊技機１は、スクリーン６、７を備えていなくても良い。また、上述した形態では、遊技機１は、パチンコ機であるが、遊技機１は、パチスロ機であっても良い。
【符号の説明】
【００２２】
１  遊技機
２  遊技盤
３  多面体
４  プロジェクタ
５  スクリーン
７  スクリーン（第２のスクリーン）
【図１】
2015205001.tif 000003